(57)【要約】  本発明は、携帯端末の能力に拘りなく、フェムトセルアクセスポイント経由で各種のコンテンツを視聴できるようにする。ゲートウェイ装置は、フェムトセルアクセスポイントを介して携帯端末からストリームまたはファイルの要求メッセージを受け付け、所要の変換を施した上で要求先に転送する制御信号変換部と、各種の携帯端末の能力情報を記憶した能力テーブルと、前記要求先からストリームまたはファイルを受信するパケット受信部と、前記能力テーブルを参照して、要求元の携帯端末の能力情報に応じた変換内容を決定する変換指示部と、前記変換内容に従って、前記要求先から受信したストリームまたは前記ファイルの変換を実施する変換部と、前記変換したストリームまたはファイルを前記携帯端末に送出するパケット送信部とを備える（図１）。
2011010601.tif 000002
【特許請求の範囲】
【請求項１】
フェムトセルアクセスポイントを介して携帯端末からストリームまたはファイルの要求メッセージを受け付け、所要の変換を施した上で要求先に転送する制御信号変換部と、
各種の携帯端末の能力情報を記憶した能力テーブルと、
前記要求先からストリームまたはファイルを受信するパケット受信部と、
前記能力テーブルを参照して、要求元の携帯端末の能力情報に応じた変換内容を決定する変換指示部と、
前記変換内容に従って、前記要求先から受信したストリームまたは前記ファイルの変換を実施する変換部と、
前記変換したストリームまたはファイルを前記携帯端末に送出するパケット送信部とを備えることを特徴とするゲートウェイ装置。
【請求項２】
前記変換内容は、コーデック、ビットレート、画面解像度、フレームレート、ファイル形式、プロトコルのうちの少なくとも一つ以上の項目の変換を含む請求項１のゲートウェイ装置。
【請求項３】
前記変換部として、ストリームまたはファイルのトランスコードを行うトランスコーダ部を含む請求項１または２のゲートウェイ装置。
【請求項４】
前記変換部として、ストリームまたはファイルのファイル形式の変換を行うファイル変換部を含む請求項１または２のゲートウェイ装置。
【請求項５】
前記変換部として、プロトコル変換を行うプロトコル変換部を含む請求項１または２のゲートウェイ装置。
【請求項６】
前記能力テーブルには、携帯電話、ＰＨＳ（Ｐｅｒｓｏｎａｌ  Ｈａｎｄｙ−ｐｈｏｎｅ  Ｓｙｓｔｅｍ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）端末、モバイルデータカード内蔵パーソナルコンピュータ、モバイルデータカード内蔵ゲーム機のうちの少なくとも２種類以上の携帯端末の能力情報が記憶されている請求項１から５いずれか一のゲートウェイ装置。
【請求項７】
前記能力テーブルは、携帯端末の各機種の能力情報を記憶したテーブルであり、
前記変換指示部は、携帯端末から受信した機種情報に基づいて、前記能力テーブルから、当該携帯端末の能力情報を取得する請求項１から６いずれか一のゲートウェイ装置。
【請求項８】
前記フェムトセルアクセスポイントとして、Ｈｏｍｅ  ＮｏｄｅＢまたはＨｏｍｅ  ｅＮｏｄｅＢを介して携帯端末からストリームまたはファイルの要求メッセージを受け付け、前記Ｈｏｍｅ  ＮｏｄｅＢまたはＨｏｍｅ  ｅＮｏｄｅＢを介して、変換したストリームまたはファイルを携帯端末に送信する請求項１から７いずれか一のゲートウェイ装置。
【請求項９】
フェムトセルアクセスポイントを介して携帯端末からストリームまたはファイルの要求メッセージを受け付け、所要の変換を施した上で要求先に転送するステップと、
前記要求先からストリームまたはファイルを受信するステップと、
各種の携帯端末の能力情報を記憶した能力テーブルを参照して、要求元の携帯端末の能力情報に応じた変換内容を決定するステップと、
前記変換内容に従って、前記要求先から受信したストリームまたは前記ファイルの変換を実施するステップと、
前記変換したストリームまたはファイルを前記携帯端末に送出するステップとを含むデータの中継方法。
【請求項１０】
前記変換内容として、コーデック、ビットレート、画面解像度、フレームレート、ファイル形式、プロトコルのうちの少なくとも一つ以上の項目の変換を行う請求項９のデータの中継方法。
【請求項１１】
ストリームまたはファイルのトランスコードを行うトランスコーダ部を用いて前記変換を行う請求項９または１０のデータの中継方法。
【請求項１２】
ストリームまたはファイルのファイル形式の変換を行うファイル変換部を用いて前記変換を行う請求項９または１０のデータの中継方法。
【請求項１３】
プロトコル変換を行うプロトコル変換部を用いて前記変換を行う請求項９または１０のデータの中継方法。
【請求項１４】
前記能力テーブルとして、携帯電話、ＰＨＳ（Ｐｅｒｓｏｎａｌ  Ｈａｎｄｙ−ｐｈｏｎｅ  Ｓｙｓｔｅｍ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）端末、モバイルデータカード内蔵パーソナルコンピュータ、モバイルデータカード内蔵ゲーム機のうちの少なくとも２種類以上の携帯端末の能力情報が記憶されているテーブルを用いる請求項９から１３いずれか一のデータの中継方法。
【請求項１５】
携帯端末から機種情報を受信し、携帯端末の各機種の能力情報を記憶した能力テーブルから、当該機種に応じた能力情報を取得して変換内容を決定する請求項９から１４いずれか一のデータの中継方法。
【請求項１６】
前記フェムトセルアクセスポイントとして、Ｈｏｍｅ  ＮｏｄｅＢまたはＨｏｍｅ  ｅＮｏｄｅＢを介して携帯端末からストリームまたはファイルの要求メッセージを受け付け、前記Ｈｏｍｅ  ＮｏｄｅＢまたはＨｏｍｅ  ｅＮｏｄｅＢを介して、変換したストリームまたはファイルを携帯端末に送信する請求項９から１５いずれか一のデータの中継方法。
【発明の詳細な説明】
【技術分野】
【０００１】
（関連出願についての記載）
本発明は、日本国特許出願：特願２００９−１７００１６号（２００９年７月２１日出願）の優先権主張に基づくものであり、同出願の全記載内容は引用をもって本書に組み込み記載されているものとする。【０００２】
本発明は、ゲートウェイ装置、データ変換方法およびプログラムに関し、特に、宅内等に設置されたフェムトセルアクセスポイントのセル圏内にある携帯端末から要求があった場合に、インターネットまたは他のネットワーク上のコンテンツを前記携帯端末に送出するゲートウェイ装置、データ変換方法およびプログラムに関する。
【背景技術】
【０００３】
モバイルネットワークの高速化により、宅内に設置し、モバイルＩＭＳ（ＩＰ  Ｍｕｌｔｉｍｅｄｉａ  Ｓｕｂｓｙｓｔｅｍ）ネットワークなどに接続し、宅内にある携帯端末との通信を行うフェムトセルアクセスポイント（既存の基地局、小型基地局に対し、相対的にセルエリアが小さいことを表すため「超小型基地局」とも称される。）が開発されている。フェムトセルアクセスポイントをモバイルＩＭＳネットワーク上に配置されるゲートウェイに接続させることにより、特にトラヒック量の多い、インターネット上やＮＧＮ（Ｎｅｘｔ  Ｇｅｎｅｒａｔｉｏｎ  Ｎｅｔｗｏｒｋ）上などにある配信サーバからの下り方向のデータを、帯域的に制約のあるモバイル無線網などを経由させることなく、携帯端末に配信することが可能になる。このため、今後、通信事業者らが、フェムトセルアクセスポイントの普及化を図っていくと予想される。また、フェムトセルアクセスポイントとしても、Ｈｏｍｅ  ＮｏｄｅＢや、さらに高速大容量転送が可能な、Ｈｏｍｅ  ｅＮｏｄｅＢなどが開発されつつある。【０００４】
さらに、ブロードバンドやＮＧＮのＩＰＴＶ（Ｉｎｔｅｒｎｅｔ  Ｐｒｏｔｏｃｏｌ  ＴｅｌｅＶｉｓｉｏｎ）などで、エンドユーザは、宅内で、映像やオーディオを含むコンテンツを受信することができるが、将来は、これらのコンテンツを、ＴＶだけでなく、フェムトセルアクセスポイント経由で宅内にある携帯端末などでも受信できる方向にいくものと期待される。【０００５】
特許文献１には、ネットワークに接続された視聴端末のユーザ、ネットワークに接続された配信サーバ内の配信コンテンツを自分自身が持つコンテンツとして視聴端末に対して通知し、視聴端末が前記配信コンテンツの取得を要求したとき、視聴端末の要求に対応した配信コンテンツを取得し、視聴コンテンツを視聴端末が受信可能なデータフォーマットに変換し、視聴端末に対して送信するＡＶゲートウェイ装置が開示されている。【０００６】
特許文献２には、移動端末（ＵＥ）がコンテンツを取得する際に当該移動端末に関するユーザエージェントの情報、ユーザ情報（Ｕｓｅｒ−Ｐｒｏｆｉｌｅ）、セルフケア情報（Ｓｅｌｆｃａｒｅ−Ｐｒｏｆｉｌｅ）、移動端末情報（ＵＥ−Ｐｒｏｆｉｌｅ）からなるプロファイル情報を生成し、アプリケーションゲートウェイに送信するプロファイル部を有し、移動端末が送出したコンテンツ要求リクエスト（ＨＴＴＰ  Ｒｅｑ）に応じてオリジン・サーバから取得したコンテンツを、プロファイル情報における移動端末の性能や能力を示すパラメータを参照することにより移動端末の性能や能力を十二分に生かせるように変換する情報管理サーバが開示されている。
【先行技術文献】
【特許文献】
【０００７】
【特許文献１】特開２００３−２７１４８７号公報
【特許文献２】特開２００５−２７５５３４号公報
【発明の概要】
【発明が解決しようとする課題】
【０００８】
なお、上記特許文献の全開示内容はその引用をもって本書に繰込み記載する。以下の分析は、本発明の観点から与えられる。【０００９】
上記したフェムトセルアクセスポイントを介して映像やオーディオを含むコンテンツを受信する携帯端末、すなわち、携帯電話、ＰＨＳ、モバイルデータカード内蔵ノートＰＣ、モバイルデータカード内蔵ゲーム機等の、映像やオーディオを復号・再生できる能力は、端末毎に大きく異なる。このため、配信サーバ、ＷｅｂサーバやＩＰＴＶなどから配信される映像やオーディオコンテンツと携帯端末の能力との間で、コーデック、画面サイズ、ビットレート、プロトコル、ファイル形式などの少なくとも一つが異なる場合は、携帯端末がコンテンツの復号や表示をすることができない、という問題点がある。【００１０】
例えば、ＩＰＴＶなどのサービスで配信されるコンテンツはＴＶ画面での再生・表示を前提としたものであるため、フェムトセルアクセスポイントを介して宅内の携帯端末に配信しようとしても、そのままでは携帯端末で再生・表示することはできない。【００１１】
この点、特許文献１のＡＶゲートウェイ装置は、種々の携帯端末に対応した変換を行う機能を備えていない。また、特許文献２の情報管理サーバも、特定の移動体通信事業者の加入者向けのサービスであり、移動端末の性能や能力に適合するコンテンツをオリジン・サーバに要求し、移動端末の性能や能力に適合するコンテンツを取得できなかった場合に、トランスコーディングを行うに止まっている。
【課題を解決するための手段】
【００１２】
本発明の第１の視点によれば、フェムトセルアクセスポイントを介して携帯端末からストリームまたはファイルの要求メッセージを受け付け、所要の変換を施した上で要求先に転送する制御信号変換部と、各種の携帯端末の能力情報を記憶した能力テーブルと、前記要求先からストリームまたはファイルを受信するパケット受信部と、前記能力テーブルを参照して、要求元の携帯端末の能力情報に応じた変換内容を決定する変換指示部と、前記変換内容に従って、前記要求先から受信したストリームまたは前記ファイルの変換を実施する変換部と、前記変換したストリームまたはファイルを前記携帯端末に送出するパケット送信部とを備えるゲートウェイ装置が提供される。【００１３】
本発明の第２の視点によれば、フェムトセルアクセスポイントを介して携帯端末からストリームまたはファイルの要求メッセージを受け付け、所要の変換を施した上で要求先に転送するステップと、前記要求先からストリームまたはファイルを受信するステップと、各種の携帯端末の能力情報を記憶した能力テーブルを参照して、配信要求元の携帯端末の能力情報に応じた変換内容を決定するステップと、前記変換内容に従って、前記要求先から受信したストリームまたは前記ファイルの変換を実施するステップと、前記変換したストリームまたはファイルを前記携帯端末に送出するステップとを含むデータの中継方法が提供される。本方法は、携帯端末からストリームまたはファイルの要求メッセージを受け付け、所要の変換を施した上で要求先に転送し、該要求先から送信されたストリームまたはファイルを携帯端末に転送するゲートウェイ装置という、特定の機械に結びつけられている。【００１４】
本発明の第３の視点によれば、フェムトセルアクセスポイントを介して携帯端末からストリームまたはファイルの要求メッセージを受け付け、所要の変換を施した上で要求先に転送する処理と、前記要求先からストリームまたはファイルを受信する処理と、各種の携帯端末の能力情報を記憶した能力テーブルを参照して、配信要求元の携帯端末の能力情報に応じた変換内容を決定する処理と、前記変換内容に従って、前記要求先から受信したストリームまたは前記ファイルの変換を実施する処理と、前記変換したストリームまたはファイルを前記携帯端末に送出する処理とを前記フェムトセルアクセスポイントに接続されたコンピュータに実行させるプログラムが提供される。なお、このプログラムは、コンピュータが読み取り可能な記憶媒体に記録することができる。即ち、本発明は、コンピュータプログラム製品として具現することも可能である。
【発明の効果】
【００１５】
本発明によれば、携帯端末の能力や機種を気にすることなく、任意の携帯端末で、フェムトセルアクセスポイント経由で映像やオーディオコンテンツを視聴することが可能になる。
【図面の簡単な説明】
【００１６】
【図１】本発明の概要を説明するための図である。
【図２】本発明の第１の実施形態の接続構成を示す図である。
【図３】本発明の第１の実施形態のゲートウェイ装置の構成を示す図である。
【図４】本発明の第２の実施形態の接続構成を示す図である。
【発明を実施するための形態】
【００１７】
続いて、本発明の概要について図面を参照して説明する。なお、この概要に付記した図面参照符号は、理解を助けるための一例として各要素に便宜上付記したものであり、本発明を図示の態様に限定することを意図するものではない。図１に示すとおり、本発明に係るゲートウェイ装置１１０は、フェムトセルアクセスポイントを介して携帯端末からストリームまたはファイルの要求メッセージを受け付け、所要の変換を施した上で要求先に転送する制御信号変換部１１１と、携帯電話、ＰＨＳ、モバイルデータカード内蔵ノートＰＣ、モバイルデータカード内蔵ゲーム機等の中から予め選択した２種類以上の携帯端末の能力情報を記憶した能力テーブル１１８と、前記要求先からストリームまたはファイルを受信するパケット受信部１１２と、前記能力テーブルを参照して、配信要求元の携帯端末の能力情報に応じた変換内容を決定する変換指示部１１７と、前記変換内容に従って、前記要求先から受信したストリームまたは前記ファイルの変換を実施する変換部１１９と、前記変換したストリームまたはファイルを前記携帯端末に送出するパケット送信部１１６とを備える。
【００１８】
宅内に設置されるフェムトセルアクセスポイントの圏内にある携帯端末から要求があった場合、ゲートウェイ装置１１０は、要求先（インターネット、ＮＧＮ、その他ネットワーク上にある配信サーバ、コンテンツサーバまたはウェブサーバ等）から、映像またはオーディオの少なくとも一方を含むストリームまたはファイルを読み出し、前記能力テーブルから当該携帯端末の機種または能力情報に応じた変換内容に従って、前記ストリームまたは前記ファイルに対し変換を実施し、さらに前記フェムトセルアクセスポイントのプロトコルに変換した上で、前携帯端末に送出する。
【００１９】
以上により、携帯電話、ＰＨＳ、モバイルデータカード内蔵ノートＰＣ、モバイルデータカード内蔵ゲーム機など、予め選択した種類の携帯端末にて、宅内にあるフェムトセルアクセスポイントを経由して受信し再生・表示することが可能になる。
【００２０】
［第１の実施形態］
続いて、本発明の第１の実施形態について図面を参照して詳細に説明する。なお、本実施形態では、動画コンテンツを配信する場合の例を挙げて説明するが、静止画、オーディオ、音声を配信する場合も同様の構成を用いることができる。
【００２１】
図２は、本発明の第１の実施形態の接続構成を示す図である。図中、実線の矢線がデータの流れを表し、破線の矢線が制御信号の流れを表している。図２の符号１５０は、携帯端末１７０のユーザの自宅等を示している（以下、「宅内１５０」とする。）。フェムトセルアクセスポイント２００は、宅内１５０に設置され、そのフェムトセル圏内において、近傍に位置する携帯端末１７０と無線で接続可能となっている。
【００２２】
フェムトセルアクセスポイント２００は、地域内のＩＰ（Ｉｎｔｅｒｎｅｔ  Ｐｒｏｔｏｃｏｌ）ネットワーク１３５に接続され、ＩＰネットワーク１３５を経由してモバイルＩＭＳネットワーク１３０に接続されている。ここでネットワーク１３０は、ＢＢ（ブロードバンドネットワーク）、ＮＧＮ（Ｎｅｘｔ  Ｇｅｎｅｒａｔｉｏｎ  Ｎｅｔｗｏｒｋ）、インターネットなどが考えられるが、以下ではＢＢ（ブロードバンドネットワーク）であるものとして説明する。
【００２３】
ゲートウェイ装置１１０は、モバイルＩＭＳネットワーク１３０上に配置され、ＩＰネットワーク１３５を介して宅内のフェムトセルアクセスポイント２００と接続されている。
【００２４】
上記フェムトセルアクセスポイント２００に接続して映像コンテンツを受信する携帯端末１７０としては、携帯電話、ＰＨＳ、モバイルデータカード内蔵ノートＰＣ、モバイルデータカード内蔵ゲーム機などの種々のものを用いることができる。以下の説明では、携帯電話を用いることとして説明する。
【００２５】
携帯端末１７０は、フェムトセルアクセスポイント２００に対し接続を行い、ウェブサーバ１２０と認証処理を行う。認証成功後、例えば、インターネット網１４０上にある配信サーバ１９０上のコンテンツを視聴したい場合、ウェブサーバ１２０から提供されるコンテンツ選択画面で、見たいコンテンツを選択する操作が行われる。
【００２６】
ウェブサーバ１２０は、携帯端末１７０からの認証要求に応じて認証処理を行う。認証に成功すると、ウェブサーバ１２０は、ゲートウェイ装置１１０に対して、認証に成功した通知と、携帯端末１７０のユーザから受け付けたコンテンツ選択結果を出力するとともに、携帯端末１７０に対しゲートウェイ装置１１０の受信ＩＰアドレスを通知する。その後、携帯端末１７０は、フェムトセルアクセスポイント２００に接続要求を出し、フェムトセルアクセスポイント２００はゲートウェイ装置１１０宛てに接続要求を出す。
【００２７】
ここで、携帯端末１７０による接続要求に使用するプロトコルは、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）上のＨＴＴＰ（Ｈｙｐｅｒ−Ｔｅｘｔ  Ｔｒａｎｓｆｅｒ  Ｐｒｏｔｏｃｏｌ）とするが、ＳＩＰ（Ｓｅｓｓｉｏｎ  Ｉｎｉｔｉａｔｉｏｎ  Ｐｒｏｔｏｃｏｌ）などを使用することもできる。
【００２８】
ＨＴＴＰを用いる場合、携帯端末１７０からリクエストコマンドを用いて、接続要求をすることができる。ゲートウェイ装置１１０は、ＨＴＴＰによるリクエストコマンドを例えばＳＩＰのＩｎｖｉｔｅメッセージに変換し、ＣＳＣＦ（Ｃａｌｌ  Ｓｅｓｓｉｏｎ  Ｃｏｎｔｒｏｌ  Ｆｕｎｃｔｉｏｎ）１３７に送信する。
【００２９】
ＣＳＣＦ１３７は、ＳＩＰサーバに相当する装置であり、Ｉｎｖｉｔｅメッセージを受信し、これをコンバータ１３８に送出する。
【００３０】
コンバータ１３８は、ＳＩＰとＲＴＳＰ（Ｒｅａｌ  Ｔｉｍｅ  Ｓｔｒｅａｍｉｎｇ  Ｐｒｏｔｏｃｏｌ）間のコンバージョンを行う装置であり、例えば、ＳＩＰメッセージを、ＲＴＳＰ  Ｓｅｔｕｐコマンドに変換し、配信サーバ１９０に送出する。
【００３１】
配信サーバ１９０はＲＴＳＰ  Ｓｅｔｕｐコマンドを受信し、要求された映像コンテンツを格納したファイルまたはストリームをゲートウェイ装置１１０に配信する。
【００３２】
次に、ゲートウェイ装置１１０の構成について図面を参照して詳細に説明する。図３は、本発明の第１の実施形態のゲートウェイ装置の構成を示す図である。
【００３３】
図３を参照すると、制御信号変換部１１１と、パケット受信部１１２と、トランスコーダ部１１３と、ファイル変換部１１４と、プロトコル変換部１１５と、パケット送信部１１６と、変換指示部１１７と、能力テーブル１１８と、を備えたゲートウェイ装置１１０が示されている。
【００３４】
制御信号変換部１１１は、ウェブサーバ１２０から認証完了の通知とコンテンツ選択結果を受け取り、携帯端末１７０から送出されたＨＴＴＰリクエストコマンドを、フェムトセルアクセスポイント２００からＧＴＰ−Ｃ（Ｇｅｎｅｒａｌ  ｐａｃｋｅｔ  ｒａｄｉｏ  Ｓｅｒｖｉｃｅ  Ｔｕｎｎｅｌｉｎｇ  Ｐｒｏｔｏｃｏｌ  Ｃ−Ｐｌａｎｅ）パケットとして受信する。
【００３５】
制御信号変換部１１１は、ＧＴＰ−Ｃパケットのペイロード部に格納されたＨＴＴＰリクエストコマンドを取り出し、前記ＨＴＴＰリクエストコマンドのユーザエージェントヘッダに記載してある端末種別情報を読み出すことにより、携帯端末１７０の端末機種を特定する。例えば、端末機種情報としては、携帯電話製造メーカや形式などが挙げられる。そして、制御信号変換部１１１は、端末機種情報を変換指示部１１７に出力する。
【００３６】
一方、制御信号変換部１１１は、フェムトセルアクセスポイント２００からＧＴＰ−Ｃパケットに格納されて受信した、ＨＴＴＰによるリクエストコマンドを、例えば、ＳＩＰ  （Ｓｅｓｓｉｏｎ  Ｉｎｉｔｉａｔｉｏｎ  Ｐｒｏｔｏｃｏｌ）のＩｎｖｉｔｅメッセージに変換し、ＣＳＣＦ（図２のＣＳＣＦ１３７）に送出する。
【００３７】
パケット受信部１１２は、インターネット網１４０上の配信サーバ１９０から、要求した映像コンテンツに対するファイルまたはストリームを受信し、前記ファイルに格納されたストリームを抽出してトランスコーダ部１１３に出力する。さらに、パケット受信部１１２は、前記コンテンツファイルに格納されているコンテンツ情報（例えば、映像の圧縮符号化方式、映像の画面解像度、ビットレート、フレームレート、映像コンテンツの時間長、オーディオの圧縮符号化方式、オーディオコンテンツの時間長など）を読み取り、変換指示部１１７に出力する。
【００３８】
変換指示部１１７は、能力テーブル１１８から、制御信号変換部１１１から受け取った端末機種情報に対応する機種の能力情報を読み出し、この能力情報と、パケット受信部１１２から受け取った前記コンテンツ情報とに基づいて、トランスコーダ部１１３でどのような変換を行うのかを決定する。
【００３９】
能力テーブル１１８には、携帯端末１７０の機種ごとに、（１）許容できるコーデック、（２）画面解像度、（３）フレームレート、（４）受信可能なファイル形式とファイルサイズ、（５）受信プロトコル、などの能力情報が予め記憶されている。
【００４０】
例えば、配信サーバ１９０から配信される映像コンテンツが、ＭＰＥＧ−２  ＭＰ（Ｍａｉｎ  Ｐｒｏｆｉｌｅ）  ８Ｍｂｐｓで圧縮符号化され、画面解像度がＳＤ（７２０  ｘ  ４８０ピクセル）フレームレートが３０ｆｐｓであることを示すコンテンツ情報が出力されたものとする。また、携帯端末１７０が新型の携帯電話であることを示す端末機種情報が出力されたものとする。
【００４１】
一方、能力テーブル１１８から、Ｈ．２６４符号化で５１２ｋｂｐｓ、ＱＶＧＡ（３２０  ｘ  ２４０ピクセル）画面解像度、フレームレートは３０ｆｐｓとの能力情報が得られているとき、変換指示部１１７は、前記端末の能力情報に適合するようコンテンツを変換するための変換内容（例えば、ＭＰＥＧ−２  ＭＰデコードし、画面解像度をＳＤからＱＶＧＡに変換し、Ｈ．２６４  ５１２ｋｂｐｓ、  ３０ｆｐｓでエンコードするなど）を作成し、変換内容をトランスコーダ部１１３などに出力する。また前記読み出した能力情報を、ファイル変換部１１４、プロトコル変換部１１５、パケット送信部１１６に出力する。
【００４２】
トランスコーダ部１１３は、パケット受信部１１２から抽出されたストリームを受信し、変換指示部１１７から上述した変換内容（例えば、ＭＰＥＧ−２  ＭＰデコードし、画面解像度をＳＤからＱＶＧＡに変換し、Ｈ．２６４  ５１２ｋｂｐｓ  ３０ｆｐｓでエンコードするなど）を受け取り、これに従い実時間で動作するトランスコーダを動作させ、前記ストリームに対して変換（例えば、受信したストリームに対しＭＰＥＧ−２  ＭＰデコードし、画面解像度をＳＤからＱＶＧＡに変換し、Ｈ．２６４  ５１２ｋｂｐｓ  ３０ｆｐｓでエンコードするなど）を施し、変換後のストリームをファイル変換部１１４に出力する。
【００４３】
ファイル変換部１１４は、変換指示部１１７から、携帯端末１７０の能力情報を入力し、トランスコーダ部１１３から変換後のストリームを入力し、前記能力情報に従い、フェムトセルアクセスポイント２００を経由して携帯端末１７０に送出するためのファイル形式に、ストリームを変換する。ここで、ファイル形式には、例えば３ＧＰＰ、３ＧＰＰ２、ＭＰ４などがあり、携帯端末の機種によって許容できるファイル形式が異なる。そこで、ファイル変換部１１４は、前記能力情報に従い、どのファイル形式を使用するかを決定し、決定されたファイル形式に従いファイルを生成し、その中に変換後のストリームを格納し、ファイルをプロトコル変換部１１５に出力する。ここで、例えば、３ＧＰＰファイルフォーマットの詳細は、３ＧＰＰ  ＴＳ２６．２４４規格を参照することができる。
【００４４】
プロトコル変換部１１５は、変換指示部１１７から前記能力情報を入力し、フェムトセルアクセスポイント２００が受け取ることができるプロトコルを決定し、このプロトコルによりファイル変換部１１４から入力されたファイルをパケット送信部１１６に送出する。ここで、プロトコルとしては、Ｉｕ−ｈインタフェースによるＧＴＰ−Ｕ  （ＧＰＲＳ  Ｔｕｎｎｅｌｉｎｇ  Ｐｒｏｔｏｃｏｌ  Ｕ−Ｐｌａｎｅ）を使用するものとする。プロトコル変換部１１５は、ＧＴＰ−Ｕ／ＵＤＰ／ＩＰプロトコルによりファイル形式を読み込んだものをパケット送信部１１６に出力する。ここで、Ｉｕ−ｈインタフェースやＧＴＰ−Ｕプロトコルの仕様は、例えば、３ＧＰＰ規格ＴＳ２５．４６７  ｖ８．０．０などを参照することができる。
【００４５】
パケット送信部１１６は、変換指示部１１７から前記能力情報を入力し、プロトコル変換部１１５からプロトコルおよびファイル形式を入力し、ＩＰネットワーク１３５を介して、フェムトセルアクセスポイント２００に対し、Ｉｕ−ｈインタフェースによるＧＴＰ−Ｕ／ＵＤＰ／ＩＰパケットを送出する。
【００４６】
図２に示すように、フェムトセルアクセスポイント２００は、Ｉｕ−ｈインタフェースによるパケットを入力し、無線転送を規定するＵｕインタフェースに変換した上で、携帯端末１７０に無線送出する。
【００４７】
携帯端末１７０は、フェムトセルアクセスポイント２００からＵｕインタフェースにより、パケットに格納されたコンテンツファイルを受信し、前記ファイルからストリームを取り出し、復号、再生、表示を行う。
【００４８】
以上のように、宅内１５０にある、種々の携帯端末（携帯電話、ＰＨＳ、モバイルデータカード内蔵ノートＰＣ、モバイルデータカード内蔵ゲーム機など）を改造することなく、前記コンテンツを復号、表示することが可能になる。その理由は、視聴に用いる携帯端末１７０の能力情報に適合するように、図３に示したゲートウェイ装置１１０にて、インターネット上やＮＧＮ上などの配信サーバにある映像を含むコンテンツや、ＩＰＴＶサービスに供するようなＴＶで再生・表示することを想定したコンテンツを変換した上で、フェムトセルアクセスポイント２００に向けて配信するように構成したことにある。
【００４９】
［第２の実施形態］
続いて、配信サーバ１９６がＮＧＮ上のＩＰＴＶ放送サーバである本発明の第２の実施態について説明する。図４は、本発明の第２の実施形態の接続構成を示す図である。図４において、図２と同一の符号を付した構成要素は、第１の実施形態と同一の動作を行うので、説明を省略し、以下、相違点を説明する。
【００５０】
配信サーバ１９６は、ＮＧＮ１９５に配置され、ＮＧＮ１９５を通してＩＰＴＶ放送サービスが提供するＩＰＴＶサーバとして機能する。すなわち、配信サーバ１９６は、ＮＧＮ１９５を介して、映像・オーディオなどを含むＩＰＴＶコンテンツを配信する。
【００５１】
前記配信されたコンテンツは宅内１５０にあるホームルータ１９９で受信され、セットトップボックス１９８で復号等が行われ、テレビ（ＴＶ）１９７で表示される。
【００５２】
上記の場合においても、フェムトセルアクセスポイント２００を経由して携帯端末１７０がゲートウェイ装置に対し、ＩＰＴＶサービスに供するのと同じ映像・オーディオコンテンツを要求すると、モバイルＩＭＳネットワーク１３０上のゲートウェイ装置１１０は、上記第１の実施形態と同様に、携帯端末１７０向けに変換を行ってから、宅内１５０に配置されるフェムトセルアクセスポイント２００に対して送出する。携帯端末１７０はフェムトセルアクセスポイント２００を通して、前記変換された映像・オーディオコンテンツを受信し、復号し、表示する。
【００５３】
以上のように、本発明によれば、ＴＶでの再生・表示を想定しているコンテンツであっても、宅内１５０にあるフェムトセルアクセスポイント２００を経由して携帯端末１７０で再生・表示することが可能になる。
【００５４】
以上、本発明の実施形態を説明したが、本発明は、上記した実施形態に限定されるものではなく、本発明の基本的技術的思想を逸脱しない範囲で、更なる変形・置換・調整を加えることができる。例えば、上記した各実施形態のＩＰネットワーク１３５は、ブロードバンド網だけでなく、ＮＧＮ（Ｎｅｘｔ  Ｇｅｎｅｒａｔｉｏｎ  Ｎｅｔｗｏｒｋ）、インターネット等であってもよい。
【００５５】
また、携帯端末１７０がＲＴＰストリームを受信できる場合は、トランスコーダ部１１３からファイル変換部１１４をバイパスし、プロトコル変換部１１５に出力し、プロトコル変換部１１５においてＲＴＰ／ＵＤＰプロトコルに変換し、パケット送信部１１６からＲＴＰ／ＵＤＰ／ＩＰストリームをＧＴＰ−Ｕプロトコルでトンネリングして、フェムトセルアクセスポイント２００に送出する構成としてもよい。
【００５６】
また、配信サーバ１９０から読み出したストリームまたはファイルに暗号が施されている場合、ゲートウェイ装置１１０は、パケット受信部１１２において、ストリームを取り出した際に、暗号を復号化した上で、トランスコーダ部１１３に出力するような構成を採ることができる。なお、この場合、ゲートウェイ装置１１０および制御信号変換部１１１は、サービス事業者の配信サーバ１９０から暗号復号に関する情報を入手し、変換指示部１１７を経由して、パケット受信部１１２に、前記暗号復号に関する情報を通知する構成を採ることができる。
【００５７】
また、第１、第２の実施形態では、動画信号を圧縮符号化した動画コンテンツを視聴するものとして説明したが、静止画や、オーディオ信号などの場合にも、同一の構成で同様の効果を得ることができる。
【００５８】
また、携帯端末１７０の無線機能としては、Ｗ−ＣＤＭＡやＣＤＭＡ２０００だけでなく、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＰＡ＋（Ｈｉｇｈ  Ｓｐｅｅｄ  Ｐａｃｋｅｔ  Ａｃｃｅｓｓ）、ＬＴＥ（Ｌｏｎｇ  Ｔｅｒｍ  Ｅｖｏｌｕｔｉｏｎ）やＷｉＭＡＸなどを使用することができる。
【００５９】
また上記した第１、第２の実施形態では、携帯端末１７０として携帯電話を用いるものとして説明したが、携帯電話に限られず、ＰＨＳ、ＷｉＭＡＸ端末、モバイルデータカードを格納したノートＰＣやモバイルデータカードを格納したゲーム機などを使用することもできる。
【００６０】
また、フェムトセルアクセスポイント２００として、Ｈｏｍｅ  Ｎｏｄｅ  ＢやＨｏｍｅ  ｅＮｏｄｅＢなどを用いることもできる。
【００６１】
また上記した第１、第２の実施形態では、ゲートウェイ装置１１０は、ＨＴＴＰリクエストコマンドのユーザエージェントヘッダに記載してある端末種別情報を用いて携帯端末の機種を特定するものとして説明したが、携帯端末と対話して、機種情報や能力情報を取得するようにしてもよい。また、上記機種は、型番等の狭義のものに限定されるものではなく、例えば、能力テーブル１１８から、適当な能力情報を抽出できる程度のものであればよい。
【００６２】
本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００６３】
１１０  ゲートウェイ装置
１１１  制御信号変換部
１１２  パケット受信部
１１３  トランスコーダ部
１１４  ファイル変換部
１１５  プロトコル変換部
１１６  パケット送信部
１１７  変換指示部
１１８  能力テーブル
１１９  変換部
１２０  ウェブサーバ
１３０  モバイルＩＭＳネットワーク
１３５  ＩＰネットワーク
１３７  ＣＳＣＦ
１３８  コンバータ
１４０  インターネット網
１５０  宅内
１７０  携帯端末
１９０、１９６  配信サーバ
１９５  ＮＧＮ
１９７  テレビ
１９８  セットトップボックス
１９９  ホームルータ
２００  フェムトセルアクセスポイント
【図１】
2011010601.tif 000003
【図２】
2011010601.tif 000004
【図３】
2011010601.tif 000005
【図４】
2011010601.tif 000006
【国際調査報告】
2011010601.tif 000007
2011010601.tif 000008